(57)【要約】【課題】使用者を煩わせることなく自動で炊飯器の使用できる電流値を決定し、その電流値に応じた最適調理シーケンスで調理するとともに、コンセントの最大電流値を越えることなく炊飯器と各機器を使用できるようにしてブレーカの動作をなくす。【解決手段】鍋に入れた米および水等の調理物２０を調理加熱するときに使用する電流値を可変できる調理加熱手段２１により調理加熱し、電源電流配分手段２２によりコンセントに接続されている各機器が使用できる電流値を演算して決定した制御電流値を各機器に出力する。制御手段２４は、電源電流配分手段２２により決定された制御電流値を入力し、複数の調理シーケンスを記憶している記憶手段２３から制御電流値に応じた最適調理シーケンスを選択し、調理加熱手段２１で使用する電流値を制御電流値に制御するよう構成する。【選択図】　図１
2004008297.tif 000002
【特許請求の範囲】
【請求項１】
鍋に入れた米および水等の調理物と、前記調理物を調理加熱するときに使用する電流値を可変できる調理加熱手段と、コンセントに接続されている各機器が使用できる電流値を演算して決定した制御電流値を各機器に出力する電源電流配分手段と、複数の調理シーケンスを記憶している記憶手段と、前記調理加熱手段を制御する制御手段とを備え、前記制御手段は、前記電源電流配分手段により決定された制御電流値を入力し、前記記憶手段から制御電流値に応じた最適調理シーケンスを選択し、前記調理加熱手段で使用する電流値を制御電流値に制御するよう構成した炊飯器。
【請求項２】
鍋に入れた米および水等の調理物と、前記調理物を調理加熱するときに使用する電流値を可変できる調理加熱手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、複数の調理シーケンスを記憶している記憶手段と、前記調理加熱手段を制御する制御手段とを備え、前記制御手段は、前記電源電流配分手段により決定された制御電流値を入力し、前記記憶手段から制御電流値に応じた最適調理シーケンスを選択し、前記調理加熱手段で使用する電流値を制御電流値に制御するよう構成した炊飯器。
【請求項３】
鍋に入れた米および水等の調理物と、前記調理物を調理加熱するときに使用する電流値を可変できる調理加熱手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値に応じた複数の最適炊飯シーケンスを記憶している記憶手段と、前記調理加熱手段で使用する電流値の変更を禁止するよう設定できる電流変更禁止設定手段と、前記調理加熱手段を制御する制御手段とを備え、前記制御手段は、前記電流変更禁止設定手段の信号を入力し変更が禁止されている場合は定格電流値を前記調理加熱手段で使用する最終調理電流値とし、この定格電流値に応じた最適調理シーケンスにて前記調理加熱手段を制御して前記電源電流配分手段に各機器が使用できる電流値を再度演算させ、電流変更を禁止して大きくなった電流値分だけ他の機器の制御電流値を小さくして各機器に再出力するよう構成した炊飯器。
【請求項４】
鍋に入れた米および水等の調理物と、前記調理物を調理加熱するときに使用する電流値を可変できる調理加熱手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値に応じた複数の最適炊飯シーケンスを記憶している記憶手段と、前記調理加熱手段で使用する電流値の変更を禁止するよう設定できる電流変更禁止設定手段と、表示動作もしくは報知動作する表示・報知手段と、前記調理加熱手段を制御する制御手段とを備え、前記制御手段は、前記電流変更禁止設定手段の信号を入力し変更が禁止されている場合は定格電流値を前記調理加熱手段で使用する最終調理電流値とし、この定格電流値に応じた最適調理シーケンスにて前記調理加熱手段を制御して前記電源電流配分手段に各機器が使用できる電流値を再度演算させ電流変更を禁止して大きくなった電流値分だけ他の機器の制御電流値を小さくして各機器に再出力するように制御し、前記電源電流配分手段にて再演算した結果他の機器を使用できない場合は、前記表示・報知手段によりこれを表示もしくは報知するよう構成した炊飯器。
【請求項５】
鍋に入れた米および水等の調理物と、前記調理物を調理加熱するときに使用する電流値を可変できる調理加熱手段と、前記調理物の量を検知する調理量検知手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値と調理量に応じた複数の最適炊飯シーケンスと調理量に応じた調理に必要な最低電流値を記憶している記憶手段と、前記調理加熱手段を制御する制御手段とを備え、前記制御手段は、前記記憶手段から前記調理量検知手段により検知した調理量に応じた調理に必要な最低電流値を入力し、前記電源電流配分手段から入力した制御電流値と比較して大きい電流値の方を前記調理加熱手段で使用する最終調理電流値とし、前記記憶手段からこの最終調理電流値と前記調理量検知手段により検知した調理量に応じた最適調理シーケンスを入力して前記調理加熱手段を制御し、また最終調理電流値が前記電源電流配分手段により決定した制御電流値より大きい場合は前記電源電流配分手段に各機器が使用できる電流値を再度演算させ大きい電流値分だけ他の機器の制御電流値を小さくして各機器に再出力するように制御するよう構成した炊飯器。
【請求項６】
鍋に入れた米および水等の調理物と、前記調理物を調理加熱するときに使用する電流値を可変できる調理加熱手段と、前記調理物の量を検知する調理量検知手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値と調理量に応じた複数の最適炊飯シーケンスと調理量に応じた調理に必要な最低電流値を記憶している記憶手段と、表示動作もしくは報知動作する表示・報知手段と、前記調理加熱手段を制御する制御手段とを備え、前記制御手段は、前記記憶手段から前記調理量検知手段により検知した調理量に応じた調理に必要な最低電流値を入力し、前記電源電流配分手段から入力した制御電流値と比較して大きい電流値の方を前記調理加熱手段で使用する最終調理電流値とし、前記記憶手段からこの最終調理電流値と前記調理量検知手段により検知した調理量に応じた最適調理シーケンスを入力して前記調理加熱手段を制御し、また最終調理電流値が前記電源電流配分手段により決定した制御電流値より大きい場合は前記電源電流配分手段に各機器が使用できる電流値を再度演算させ大きい電流値分だけ他の機器の制御電流値を小さくして各機器に再出力するように制御し、前記電源電流配分手段にて再演算した結果他の機器を使用できない場合は、前記表示・報知手段によりこれを表示もしくは報知するよう構成した炊飯器。
【請求項７】
鍋に入れた米および水等の調理物と、前記調理物を調理加熱するときに使用する電流値を可変できる調理加熱手段と、前記調理物の量を検知する調理量検知手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値と調理量に応じた複数の最適炊飯シーケンスと調理量に応じた調理に必要な最低電流値を記憶している記憶手段と、前記調理加熱手段で使用する電流値の変更を禁止するよう設定できる電流変更禁止設定手段と、表示動作もしくは報知動作する表示・報知手段と、前記調理加熱手段を制御する制御手段とを備え、前記制御手段は、前記電流変更禁止設定手段の信号を入力し変更が禁止されている場合は定格電流値を前記調理加熱手段で使用する最終調理電流値とし、この定格電流値に応じた最適調理シーケンスにて前記調理加熱手段を制御して前記電源電流配分手段に各機器が使用できる電流値を再度演算させ電流変更を禁止して大きくなった電流値分だけ他の機器の制御電流値を小さくして各機器に再出力するよう制御し、また前記電流変更禁止設定手段の信号を入力し変更が禁止されていない場合は、前記記憶手段から前記調理量検知手段により検知した調理量に応じた調理に必要な最低電流値を入力し前記電源電流配分手段から入力した制御電流値と比較して大きい電流値の方を前記調理加熱手段で使用する最終調理電流値とし前記記憶手段からこの最終調理電流値と前記調理量検知手段により検知した調理量に応じた最適調理シーケンスを入力して前記調理加熱手段を制御し、また最終調理電流値が前記電源電流配分手段により決定した制御電流値より大きい場合は前記電源電流配分手段に各機器が使用できる電流値を再度演算させ大きい電流値分だけ他の機器の制御電流値を小さくして各機器に再出力するように制御し、前記電源電流配分手段にて再演算した結果他の機器を使用できない場合は、前記表示・報知手段によりこれを表示もしくは報知するよう構成した炊飯器。
【発明の詳細な説明】
【０００１】
【発明の属する技術分野】
本発明は、炊飯器と同じコンセントに接続される各機器と通信して、炊飯器本体の使用電流値および炊飯器と同じコンセントに接続される各機器の使用電流値を制御し、コンセントの電流定格を越えないようにする炊飯器に関するものである。
【０００２】
【従来の技術】
従来から使用されている炊飯器は図１５に示すように構成していた。以下、その構成について説明する。
【０００３】
図１５に示すように、調理物１は、鍋（図示せず）に入れられた米および水等である。調理加熱手段２は調理物１の調理を行うもので、使用電力を可変できる。１／２電力調理設定手段３は定格電力の１／２で炊飯する調理メニューを設定するものである。記憶手段４は使用する各調理メニューの最適シーケンスを記憶している。制御手段５は、１／２電力調理設定手段３で１／２電力で炊飯するメニューが設定されているときは、記憶手段４に記憶されている１／２電力炊飯の最適シーケンスに基づいて、調理加熱手段２を制御して調理物１を定格電力の１／２で調理する。
【０００４】
つぎに、制御手段５の動作を図１６のフローチャートにより説明する。ステップ１０でシーケンスがスタートしステップ１１に進む。ステップ１１では１／２電力調理が設定されているかを判断する。ここで、使用者はコンセントに接続されている炊飯器以外の各機器の消費電力等を自分で計算して１／２電力炊飯にするか、定格電力炊飯にするかを決定して１／２電力調理設定手段３でこれを設定している。また、使用者はそのコンセントで使用できる最大電流値を知っておく必要がある。
【０００５】
ステップ１１で１／２電力炊飯が設定されているときはステップ１２に進み、調理加熱手段２で使用する電力を１／２に設定する。つぎにステップ１３に進み、制御手段５は１／２電力で炊飯できる最適シーケンスを記憶手段４から選択する。ここで、１／２電力炊飯が可能な調理量は最大調理量の約半分に制限されており、これを使用者が守る必要がある。
【０００６】
よって調理量を制限量以上調理したい場合は定格電力炊飯する必要があり、炊飯器と同じコンセントに接続されている他の機器を使用できなくなる。また１／２電力炊飯を設定した状態で最大炊飯量を炊く場合は非常に炊飯時間が長くなってしまう。つぎに、ステップ１４に進み、１／２電力に対応した最適シーケンスに基づいて、調理加熱手段２で１／２電力にて調理を行い、ステップ１５に進み調理を完了する。
【０００７】
ステップ１１で定格電力炊飯が設定されているときは、ステップ１６に進み、調理加熱手段２で使用する電力を定格電力に設定する。つぎに、ステップ１７に進み、制御手段５は定格電力で炊飯できる最適シーケンスを記憶手段４から選択する。つぎにステップ１８に進み、定格電力に対応した最適シーケンスに基づいて、調理加熱手段２で定格電力にて調理を行い、ステップ１５に進み調理を完了する。
【０００８】
【発明が解決しようとする課題】
しかしながら、このような従来の炊飯器では、炊飯器と同じコンセントに接続される各機器の消費電力とそのコンセントで使用できる最大電力量を使用者が知っている必要があり、さらに、炊飯器で使用できる電力量を使用者が自分で計算し、使用電力を自分で設定しなければならないという面倒な作業が必要であるという問題があった。
【０００９】
また、設定できる使用電力量は定格電力と１／２電力の２種類のみであり、炊飯器と同じコンセントに接続されている機器の消費電力に応じた細かい炊飯電力の設定ができないという問題があった。
【００１０】
さらに、定格電力より小さい１／２電力炊飯に設定したときに調理量の制限があるにもかかわらず、使用者が制限量以上の調理をする可能性があるという問題があった。
【００１１】
さらに、使用者の計算間違い等でコンセントの最大電流値を越えた設定になっても炊飯する可能性があるので、途中でブレーカが動作してそのコンセントに接続されている機器の動作が停止するという問題があった。
【００１２】
本発明は上記従来の課題を解決するもので、使用者を煩わせることなく自動で炊飯器の使用できる電流値を決定し、その電流値に応じた最適調理シーケンスで調理するとともに、コンセントの最大電流値を越えることなく炊飯器と各機器を使用できるようにしてブレーカの動作をなくすことを目的としている。
【００１３】
【課題を解決するための手段】
本発明は上記目的を達成するために、鍋に入れた米および水等の調理物を調理加熱するときに使用する電流値を可変できる調理加熱手段により調理加熱し、電源電流配分手段によりコンセントに接続されている各機器が使用できる電流値を演算して決定した制御電流値を各機器に出力し、制御手段は、電源電流配分手段により決定された制御電流値を入力し、複数の調理シーケンスを記憶している記憶手段から制御電流値に応じた最適調理シーケンスを選択し、調理加熱手段で使用する電流値を制御電流値に制御するよう構成したものである。
【００１４】
これにより、使用者を煩わせることなく、自動で炊飯器の使用できる電流値を決定し、その電流値に応じた最適調理シーケンスで調理できるとともに、コンセントの最大電流値を越えることなく炊飯器と各機器を使用できて、ブレーカの動作をなくすことができる。
【００１５】
【発明の実施の形態】
本発明の請求項１に記載の発明は、鍋に入れた米および水等の調理物と、前記調理物を調理加熱するときに使用する電流値を可変できる調理加熱手段と、コンセントに接続されている各機器が使用できる電流値を演算して決定した制御電流値を各機器に出力する電源電流配分手段と、複数の調理シーケンスを記憶している記憶手段と、前記調理加熱手段を制御する制御手段とを備え、前記制御手段は、前記電源電流配分手段により決定された制御電流値を入力し、前記記憶手段から制御電流値に応じた最適調理シーケンスを選択し、前記調理加熱手段で使用する電流値を制御電流値に制御するよう構成したものであり、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができる。
【００１６】
請求項２に記載の発明は、鍋に入れた米および水等の調理物と、前記調理物を調理加熱するときに使用する電流値を可変できる調理加熱手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、複数の調理シーケンスを記憶している記憶手段と、前記調理加熱手段を制御する制御手段とを備え、前記制御手段は、前記電源電流配分手段により決定された制御電流値を入力し、前記記憶手段から制御電流値に応じた最適調理シーケンスを選択し、前記調理加熱手段で使用する電流値を制御電流値に制御するよう構成したものであり、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、さらに、コンセントで使用できる最大電流値を設定する最大電流設定手段により、炊飯器が接続されるコンセントが変更されても、コンセントの電流容量値を変更設定できるので、変更されたコンセントに対応した制御電流値を決定することができる。
【００１７】
請求項３に記載の発明は、鍋に入れた米および水等の調理物と、前記調理物を調理加熱するときに使用する電流値を可変できる調理加熱手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値に応じた複数の最適炊飯シーケンスを記憶している記憶手段と、前記調理加熱手段で使用する電流値の変更を禁止するよう設定できる電流変更禁止設定手段と、前記調理加熱手段を制御する制御手段とを備え、前記制御手段は、前記電流変更禁止設定手段の信号を入力し変更が禁止されている場合は定格電流値を前記調理加熱手段で使用する最終調理電流値とし、この定格電流値に応じた最適調理シーケンスにて前記調理加熱手段を制御して前記電源電流配分手段に各機器が使用できる電流値を再度演算させ、電流変更を禁止して大きくなった電流値分だけ他の機器の制御電流値を小さくして各機器に再出力するよう構成したものであり、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されても、コンセントの電流容量値を変更設定でき、さらに、電流変更禁止設定手段により、常にコンセントに他の機器を接続しない場合や、常に最大の調理量を調理する場合は必ず定格電力で調理することができる。
【００１８】
請求項４に記載の発明は、鍋に入れた米および水等の調理物と、前記調理物を調理加熱するときに使用する電流値を可変できる調理加熱手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値に応じた複数の最適炊飯シーケンスを記憶している記憶手段と、前記調理加熱手段で使用する電流値の変更を禁止するよう設定できる電流変更禁止設定手段と、表示動作もしくは報知動作する表示・報知手段と、前記調理加熱手段を制御する制御手段とを備え、前記制御手段は、前記電流変更禁止設定手段の信号を入力し変更が禁止されている場合は定格電流値を前記調理加熱手段で使用する最終調理電流値とし、この定格電流値に応じた最適調理シーケンスにて前記調理加熱手段を制御して前記電源電流配分手段に各機器が使用できる電流値を再度演算させ電流変更を禁止して大きくなった電流値分だけ他の機器の制御電流値を小さくして各機器に再出力するように制御し、前記電源電流配分手段にて再演算した結果他の機器を使用できない記場合は、前記表示・報知手段によりこれを表示もしくは報知するよう構成したものであり、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されてもコンセントの電流容量値を変更設定でき、また、常にコンセントに他の機器を接続しない場合や、常に最大の調理量を調理する場合は必ず定格電力で調理でき、さらに、表示・報知手段により炊飯器と同じコンセントに接続されている各機器が使用できない場合は、これを使用者に認識させることができる。
【００１９】
請求項５に記載の発明は、鍋に入れた米および水等の調理物と、前記調理物を調理加熱するときに使用する電流値を可変できる調理加熱手段と、前記調理物の量を検知する調理量検知手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値と調理量に応じた複数の最適炊飯シーケンスと調理量に応じた調理に必要な最低電流値を記憶している記憶手段と、前記調理加熱手段を制御する制御手段とを備え、前記制御手段は、前記記憶手段から前記調理量検知手段により検知した調理量に応じた調理に必要な最低電流値を入力し、前記電源電流配分手段から入力した制御電流値と比較して大きい電流値の方を前記調理加熱手段で使用する最終調理電流値とし、前記記憶手段からこの最終調理電流値と前記調理量検知手段により検知した調理量に応じた最適調理シーケンスを入力して前記調理加熱手段を制御し、また最終調理電流値が前記電源電流配分手段により決定した制御電流値より大きい場合は前記電源電流配分手段に各機器が使用できる電流値を再度演算させ大きい電流値分だけ他の機器の制御電流値を小さくして各機器に再出力するように制御するよう構成したものであり、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されてもコンセントの電流容量値を変更設定でき、さらに、調理量検知手段により調理量に応じた調理に最低限必要な電流値を確保して調理できるとともに、炊飯器と同じコンセントに接続された機器の使用電流値を再決定できるので、ブレーカを動作させることなく調理することができる。
【００２０】
請求項６に記載の発明は、鍋に入れた米および水等の調理物と、前記調理物を調理加熱するときに使用する電流値を可変できる調理加熱手段と、前記調理物の量を検知する調理量検知手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値と調理量に応じた複数の最適炊飯シーケンスと調理量に応じた調理に必要な最低電流値を記憶している記憶手段と、表示動作もしくは報知動作する表示・報知手段と、前記調理加熱手段を制御する制御手段とを備え、前記制御手段は、前記記憶手段から前記調理量検知手段により検知した調理量に応じた調理に必要な最低電流値を入力し、前記電源電流配分手段から入力した制御電流値と比較して大きい電流値の方を前記調理加熱手段で使用する最終調理電流値とし、前記記憶手段からこの最終調理電流値と前記調理量検知手段により検知した調理量に応じた最適調理シーケンスを入力して前記調理加熱手段を制御し、また最終調理電流値が前記電源電流配分手段により決定した制御電流値より大きい場合は前記電源電流配分手段に各機器が使用できる電流値を再度演算させ大きい電流値分だけ他の機器の制御電流値を小さくして各機器に再出力するように制御し、前記電源電流配分手段にて再演算した結果他の機器を使用できない場合は、前記表示・報知手段によりこれを表示もしくは報知するよう構成したものであり、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されてもコンセントの電流容量値を変更設定でき、また、調理量に応じた調理に最低限必要な電流値を確保して調理できるとともに、炊飯器と同じコンセントに接続された機器の使用電流値を再決定できるので、ブレーカを動作させることなく調理でき、さらに、炊飯器と同じコンセントに接続されている各機器が使用できない場合は、これを使用者に認識させることができる。
【００２１】
請求項７に記載の発明は、鍋に入れた米および水等の調理物と、前記調理物を調理加熱するときに使用する電流値を可変できる調理加熱手段と、前記調理物の量を検知する調理量検知手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値と調理量に応じた複数の最適炊飯シーケンスと調理量に応じた調理に必要な最低電流値を記憶している記憶手段と、前記調理加熱手段で使用する電流値の変更を禁止するよう設定できる電流変更禁止設定手段と、表示動作もしくは報知動作する表示・報知手段と、前記調理加熱手段を制御する制御手段とを備え、前記制御手段は、前記電流変更禁止設定手段の信号を入力し変更が禁止されている場合は定格電流値を前記調理加熱手段で使用する最終調理電流値とし、この定格電流値に応じた最適調理シーケンスにて前記調理加熱手段を制御して前記電源電流配分手段に各機器が使用できる電流値を再度演算させ電流変更を禁止して大きくなった電流値分だけ他の機器の制御電流値を小さくして各機器に再出力するよう制御し、また前記電流変更禁止設定手段の信号を入力し変更が禁止されていない場合は、前記記憶手段から前記調理量検知手段により検知した調理量に応じた調理に必要な最低電流値を入力し前記電源電流配分手段から入力した制御電流値と比較して大きい電流値の方を前記調理加熱手段で使用する最終調理電流値とし前記記憶手段からこの最終調理電流値と前記調理量検知手段により検知した調理量に応じた最適調理シーケンスを入力して前記調理加熱手段を制御し、また最終調理電流値が前記電源電流配分手段により決定した制御電流値より大きい場合は前記電源電流配分手段に各機器が使用できる電流値を再度演算させ大きい電流値分だけ他の機器の制御電流値を小さくして各機器に再出力するように制御し、前記電源電流配分手段にて再演算した結果他の機器を使用できない場合は、前記表示・報知手段によりこれを表示もしくは報知するよう構成したものであり、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されてもコンセントの電流容量値を変更設定でき、また、常にコンセントに他の機器を接続しない場合や、常に最大の調理量を調理する場合は必ず定格電力で調理でき、また、調理量に応じた調理に最低限必要な電流値を確保して調理できるとともに、炊飯器と同じコンセントに接続された機器の使用電流値を再決定できるので、ブレーカを動作させることなく調理でき、さらに、炊飯器と同じコンセントに接続されている各機器が使用できない場合はこれを使用者に認識させることができる。
【００２２】
【実施例】
以下、本発明の実施例について、図面を参照しながら説明する。
【００２３】
（実施例１）
図１に示すように、調理物２０は、鍋（図示せず）に入れられた米および水等である。調理加熱手段２１は調理物２０を調理加熱するもので、調理加熱するときに使用する電流値を可変できるようにしている。電源電流配分手段２２はコンセントに接続されている各機器が使用できる電流値を演算し、決定した制御電流値を各機器に出力する。記憶手段２３は制御電流値に応じた複数の最適調理シーケンスを記憶している。制御手段２４は調理加熱手段２１を制御するもので、電源電流配分手段２２により決定された制御電流値を入力し、記憶手段２３から制御電流値に応じた最適調理シーケンスを選択し、調理加熱手段２１で使用する電流値を制御電流値に制御するよう構成している。
【００２４】
上記構成において図２のフローチャートにより動作を説明する。また、各機器にも本発明の実施例と同一の構成要素があるとして説明する。
【００２５】
ステップ３０でシーケンスがスタートしステップ３１に進み、ステップ３１では電源電流配分手段２２により、炊飯器および炊飯器と同じコンセントに接続される各機器の制御電流値をその合計値が、予め決められているコンセントの最大電流値以下になるように演算して決定し、その制御電流値を炊飯器および各機器の制御手段２４に出力する。
【００２６】
つぎに、ステップ３２に進み、ステップ３２では炊飯器および各機器の制御手段２４は電源電流配分手段２２により配分された各々の制御電流値を入力する。つぎに、ステップ３３に進み、制御手段２４はステップ３２で入力した制御電流値に応じた最適調理シーケンスを記憶手段２３から選択して入力する。つぎにステップ３４に進み、制御手段２４はステップ３３で入力した制御電流値に応じた最適調理シーケンスに基づいて、調理加熱手段２１の使用電流値をステップ３２で入力した制御電流値に制御して調理物２０を調理する。調理が完了するとステップ３５に進み終了する。
【００２７】
以上のように本実施例によれば、使用者を煩わせることなく、自動で炊飯器の使用できる電流値を決定でき、その電流値に応じた最適調理シーケンスで調理できるとともに、コンセントの最大電流値を越えることなく、炊飯器と各機器を使用できるので、ブレーカの動作をなくすことができる。
【００２８】
（実施例２）
図３に示すように、調理物４０は、鍋（図示せず）に入れられた米および水等である。調理加熱手段４１は調理物４０を調理加熱するもので、調理加熱するときに使用する電流値を可変できるようにしている。最大電流設定手段４２はコンセントで使用できる最大電流値を設定するものである。電源電流配分手段４３は最大電流設定手段４２の信号を入力し、コンセントで使用できる最大電流値からコンセントに接続されている各機器が使用できる電流値を演算して決定した制御電流値を各機器に出力する。
【００２９】
記憶手段４４は制御電流値に応じた複数の最適調理シーケンスを記憶している。制御手段４５は調理加熱手段４１を制御するもので、電源電流配分手段４３により決定された制御電流値を入力し、制御電流値に応じた複数の最適調理シーケンスを記憶している記憶手段４４から最適調理シーケンスを選択し、調理加熱手段４１で使用する電流値を制御電流値に制御するよう構成している。
【００３０】
上記構成において図４のフローチャートにより動作を説明する。また、各機器にも本発明の実施例と同一の構成要素があるとして説明する。
【００３１】
ステップ５０でシーケンスがスタートしステップ５１に進み、ステップ５１では使用者は炊飯器が接続されるコンセントで使用可能な最大電流値を最大電流設定手段４２により入力する。つぎに、ステップ５２に進み、ステップ５２では電源電流配分手段４３により、炊飯器および炊飯器と同じコンセントに接続される各機器の制御電流値をその合計値が、ステップ５１で設定したコンセントの使用可能な最大電流値以下になるように演算して決定し、その制御電流値を炊飯器および各機器の制御手段４５に出力する。
【００３２】
つぎに、ステップ５３に進み、ステップ５３では炊飯器および各機器の制御手段４５は電源電流配分手段４３により配分された各々の制御電流値を入力する。つぎに、ステップ５４に進み、制御手段４５はステップ５３で入力した制御電流値に応じた最適調理シーケンスを記憶手段４４から選択して入力する。つぎに、ステップ５５に進み、制御手段４５はステップ５４で入力した制御電流値に応じた最適調理シーケンスに基づいて、調理加熱手段４１の使用電流値をステップ５３で入力した制御電流値に制御して調理物４０を調理する。調理が完了するとステップ５６に進み終了する。
【００３３】
以上のように本実施例によれば、使用者を煩わせることなく、自動で炊飯器の使用できる電流値を決定でき、その電流値に応じた最適調理シーケンスで調理できるとともに、コンセントの最大電流値を越えることなく、炊飯器と各機器を使用できるのでブレーカの動作をなくすことができ、さらに、炊飯器が接続されるコンセントが変更されてもコンセントの電流容量値を変更設定できるので、変更されたコンセントに対応した制御電流値を決定できる。
【００３４】
（実施例３）
図５に示すように、調理物６０は、鍋（図示せず）に入れられた米および水等である。調理加熱手段６１は調理物６０を調理加熱するもので、調理物６０を調理加熱するときに使用する電流値を可変できるようにしている。最大電流設定手段６２はコンセントで使用できる最大電流値を設定するものである。
【００３５】
電源電流配分手段６３は最大電流設定手段６２の信号を入力し、コンセントで使用できる最大電流値からコンセントに接続されている各機器が使用できる電流値を演算して決定した制御電流値を各機器に出力する。記憶手段６４は調理加熱手段６１で使用する電流値に応じた複数の最適炊飯シーケンスを記憶している。電流変更禁止設定手段６５は調理加熱手段６１で使用する電流値の変更を禁止するよう設定できる。
【００３６】
制御手段６６は調理加熱手段６１を制御するもので、電流変更禁止設定手段６５の信号を入力し変更が禁止されている場合は、定格電流値を調理加熱手段６１で使用する最終調理電流値とし、この定格電流値に応じた最適調理シーケンスにて調理加熱手段６１を制御して電源電流配分手段６３に各機器が使用できる電流値を再度演算させ、電流変更を禁止して大きくなった電流値分だけ他の機器の制御電流値を小さくして各機器に再出力するように制御するよう構成している。
【００３７】
上記構成において図６のフローチャートにより動作を説明する。また、各機器にも本発明の実施例と同一の構成要素があるとして説明する。
【００３８】
ステップ７０でシーケンスがスタートしステップ７１に進み、ステップ７１では使用者は炊飯器が接続されるコンセントで使用可能な最大電流値を最大電流設定手段６２により入力する。つぎに、ステップ７２に進み、ステップ７２では電源電流配分手段６３により、炊飯器および炊飯器と同じコンセントに接続される各機器の制御電流値をその合計値が、ステップ７１で設定したコンセントの使用可能な最大電流値以下になるように演算して決定し、その制御電流値を炊飯器および各機器の制御手段６６に出力する。
【００３９】
つぎに、ステップ７３に進み、ステップ７３では炊飯器および各機器の制御手段６６は電源電流配分手段６３により配分された各々の制御電流値を入力する。つぎに、ステップ７４に進み、制御手段６６は電流変更禁止設定手段６５により調理加熱手段６１で使用する電流値の変更が禁止されているかどうかを判定する。電流変更が禁止されている場合はステップ７５に進む。ここで、電流変更が禁止される場合は、常にコンセントに他の機器を接続しない場合や、常に最大の調理量を調理する場合で定格電流がどうしても必要な場合である。
【００４０】
ステップ７５では制御手段６６は定格電流値を調理加熱手段６１で使用する最終調理電流値としてステップ７６に進み、ステップ７６では制御手段６６は電源電流配分手段６３に各機器が使用できる電流値を再度演算させ、定格電流から電流変更が禁止されていない場合に炊飯器に配分される電流値を引いた分だけ他の機器の制御電流値を小さくして各機器に再出力する。これにより、炊飯器が定格電流で調理しても、大きくなった電流値分だけ他の機器の使用電流値が小さくなり、コンセントの最大電流値以内に制御できる。つぎに、ステップ７６からステップ７８に進む。
【００４１】
一方、ステップ７４で電流変更が禁止されていない場合は、ステップ７７に進み、ステップ７７ではステップ７３で入力した制御電流値を最終調理電流値としてステップ７８に進み、ステップ７８では最終調理電流値に応じた最適調理シーケンスを記憶手段６４から選択して入力する。つぎに、ステップ７９に進み、制御手段６６はステップ７５もしくはステップ７７で入力した最終調理電流値に応じた最適調理シーケンスに基づいて、調理加熱手段６１の使用電流値をステップ７５もしくはステップ７７で入力した最終調理電流値に制御して調理物６０を調理する。調理が完了するとステップ８０に進み終了する。
【００４２】
以上のように本実施例によれば、使用者を煩わせることなく、自動で炊飯器の使用できる電流値を決定でき、その電流値に応じた最適調理シーケンスで調理できるとともに、コンセントの最大電流値を越えることなく、炊飯器と各機器を使用できるのでブレーカの動作をなくすことができ、また、炊飯器が接続されるコンセントが変更されてもコンセントの電流容量値を変更設定でき、さらに、常にコンセントに他の機器を接続しない場合や、常に最大の調理量を調理する場合は必ず定格電力で調理することができる。
【００４３】
（実施例４）
図７に示すように、調理物９０は、鍋（図示せず）に入れられた米および水等である。調理加熱手段９１は調理物９０を調理加熱するもので、調理物９０を調理加熱するときに使用する電流値を可変できるようにしている。最大電流設定手段９２はコンセントで使用できる最大電流値を設定するものである。
【００４４】
電源電流配分手段９３は最大電流設定手段９２の信号を入力し、コンセントで使用できる最大電流値からコンセントに接続されている各機器が使用できる電流値を演算して決定した制御電流値を各機器に出力する。記憶手段９４は調理加熱手段９１で使用する電流値に応じた複数の最適炊飯シーケンスを記憶している。電流変更禁止設定手段９５は調理加熱手段９１で使用する電流値の変更を禁止するよう設定できる。
【００４５】
制御手段９６は調理加熱手段９１を制御するもので、電流変更禁止設定手段９５の信号を入力し変更が禁止されている場合は、定格電流値を調理加熱手段９１で使用する最終調理電流値とし、この定格電流値に応じた最適調理シーケンスにて調理加熱手段９１を制御して電源電流配分手段９３に各機器が使用できる電流値を再度演算させ、電流変更を禁止して大きくなった電流値分だけ他の機器の制御電流値を小さくして各機器に再出力するように制御するよう構成している。
【００４６】
表示・報知手段９７は電源電流配分手段９３にて再演算した結果他の機器を使用できない場合は、これを表示もしくは報知するように制御している。ここで、表示・報知手段９７は電源電流配分手段９３の信号を入力して表示および報知をするブロック図になっているが、直接制御手段９６で制御してもよい。
【００４７】
上記構成において図８のフローチャートにより動作を説明する。また、各機器にも本発明の実施例と同一の構成要素があるとして説明する。
【００４８】
ステップ１００でシーケンスがスタートしステップ１０１に進み、ステップ１０１では使用者は炊飯器が接続されるコンセントで使用可能な最大電流値を最大電流設定手段９２により入力する。つぎに、ステップ１０２に進み、ステップ１０２では電源電流配分手段９３により、炊飯器および炊飯器と同じコンセントに接続される各機器の制御電流値をその合計値が、ステップ１０１で設定したコンセントの使用可能な最大電流値以下になるように演算して決定し、その制御電流値を炊飯器および各機器の制御手段９６に出力する。
【００４９】
つぎに、ステップ１０３に進み、ステップ１０３では炊飯器および各機器の制御手段９６は電源電流配分手段９３により配分された各々の制御電流値を入力する。つぎに、ステップ１０４に進み、制御手段９６は電流変更禁止設定手段９５により調理加熱手段９１で使用する電流値の変更が禁止されているかどうかを判定する。電流変更が禁止されている場合はステップ１０５に進む。ここで、電流変更が禁止される場合は、常にコンセントに他の機器を接続しない場合や、常に最大の調理量を調理する場合で定格電流がどうしても必要な場合である。
【００５０】
ステップ１０５では制御手段９６は定格電流値を調理加熱手段９１で使用する最終調理電流値としステップ１０６に進み、ステップ１０６では制御手段９６は電源電流配分手段９３に各機器が使用できる電流値を再度演算させ、定格電流から電流変更が禁止されていない場合に炊飯器に配分される電流値を引いた分だけ他の機器の制御電流値を小さくして各機器に再出力する。これにより炊飯器が定格電流で調理しても、大きくなった電流値分だけ他の機器の使用電流値が小さくなりコンセントの最大電流値以内に制御できる。
【００５１】
つぎに、ステップ１０６からステップ１０７に進み、ステップ１０７では電源電流配分手段９３がステップ１０６で再度演算した各機器が使用できる電流値の値により炊飯器以外の各機器が使用可能かを判断する。炊飯器以外の各機器を使用できない場合はステップ１０８に進み、ステップ１０８では他の機器が使用できないことを表示・報知手段９７により表示および報知する。つぎに、ステップ１０８からステップ１１０に進む。
【００５２】
また、ステップ１０７で炊飯器以外の各機器を使用できる場合はステップ１１０に進む。一方、ステップ１０４で電流変更が禁止されていない場合はステップ１０９に進み、ステップ１０９ではステップ１０３で入力した制御電流値を最終調理電流値としてステップ１１０に進み、ステップ１１０では最終調理電流値に応じた最適調理シーケンスを記憶手段９４から選択して入力する。
【００５３】
つぎに、ステップ１１１に進み、ステップ１１１では制御手段９６はステップ１０５もしくはステップ１０９で入力した最終調理電流値に応じた最適調理シーケンスに基づいて、調理加熱手段９１の使用電流値をステップ１０５もしくはステップ１０９で入力した最終調理電流値に制御して調理物９０を調理する。調理が完了するとステップ１１２に進み終了する。
【００５４】
以上のように本実施例によれば、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されてもコンセントの電流容量値を変更設定でき、また、常にコンセントに他の機器を接続しない場合や、常に最大の調理量を調理する場合は必ず定格電力で調理でき、さらに、炊飯器と同じコンセントに接続されている各機器が使用できない場合はこれを使用者に認識させることができる。
【００５５】
（実施例５）
図９に示すように、調理物１２０は、鍋（図示せず）に入れられた米および水等である。調理加熱手段１２１は調理物１２０を調理加熱するもので、調理物１２０を調理加熱するときに使用する電流値を可変できる。調理量検知手段１２２は調理物１２０の量を検知する。ここで、調理量の検知方法は例えば調理物１２０の重さを直接測定するか、使用者に調理量を入力してもらってもよい。
【００５６】
最大電流設定手段１２３はコンセントで使用できる最大電流値を設定する。電源電流配分手段１２４は最大電流設定手段１２３の信号を入力し、コンセントで使用できる最大電流値からコンセントに接続されている各機器が使用できる電流値を演算して決定した制御電流値を各機器に出力する。記憶手段１２５は調理加熱手段１２１で使用する電流値と調理量に応じた複数の最適炊飯シーケンスと調理量に応じた調理に必要な最低電流値を記憶している。
【００５７】
制御手段１２６は調理加熱手段１２１を制御するもので、記憶手段１２５から調理量検知手段１２２により検知した調理量に応じた調理に必要な最低電流値を入力し、電源電流配分手段１２４から入力した制御電流値と比較して大きい電流値の方を調理加熱手段１２１で使用する最終調理電流値とし、記憶手段１２５からこの最終調理電流値と調理量検知手段１２２により検知した調理量に応じた最適調理シーケンスを入力して調理加熱手段１２１を制御し、また、最終調理電流値が電源電流配分手段１２４により決定した制御電流値より大きい場合は、電源電流配分手段１２４に各機器が使用できる電流値を再度演算させ、大きい電流値分だけ他の機器の制御電流値を小さくして各機器に再出力するように制御するよう構成している。
【００５８】
上記構成において図１０のフローチャートにより動作を説明する。また、各機器にも本発明の実施例と同一の構成要素があるとして説明する。
【００５９】
ステップ１３０でシーケンスがスタートしステップ１３１に進み、ステップ１３１では使用者は炊飯器が接続されるコンセントで使用可能な最大電流値を最大電流設定手段１２３により入力する。つぎに、ステップ１３２に進み、ステップ１３２では電源電流配分手段１２４により、炊飯器および炊飯器と同じコンセントに接続される各機器の制御電流値をその合計値が、ステップ１３１で設定したコンセントの使用可能な最大電流値以下になるように演算して決定し、その制御電流値を炊飯器および各機器の制御手段１２６に出力する。
【００６０】
つぎに、ステップ１３３に進み、ステップ１３３では炊飯器および各機器の制御手段１２６は電源電流配分手段１２４により配分された各々の制御電流値を入力する。つぎに、ステップ１３４に進み、制御手段１２６は調理量検知手段１２２が検知した調理量を入力する。つぎに、ステップ１３５に進み、制御手段１２６はステップ１３４で検知した調理量に応じて記憶手段１２５に記憶してある調理に必要な最低必要電流値を決定する。
【００６１】
つぎに、ステップ１３６に進み、制御手段１２６はステップ１３３で入力した制御電流値とステップ１３５で決定した調理量に応じた調理に必要な最低必要電流値とを比較する。制御電流値が最低必要電流値よりも小さいときはステップ１３７に進み、制御手段１２６は最低必要電流値を調理加熱手段１２１で使用する最終調理電流値としステップ１３８に進み、制御手段１２６は電源電流配分手段１２４に各機器が使用できる電流値を再度演算させ、大きい電流値分だけ他の機器の制御電流値を小さくして各機器に再出力する。これにより炊飯器が調理量に応じた最低必要電流値で調理しても、大きくなった電流値分だけ他の機器の使用電流値が小さくなりコンセントの最大電流値以内に制御できる。
【００６２】
つぎに、ステップ１３８からステップ１４０に進む。一方、ステップ１３６で制御電流値が最低必要電流値と同じもしくは大きいときはステップ１３９に進み、制御手段１２６は制御電流値を調理加熱手段１２１で使用する最終調理電流値に設定する。ステップ１３９からステップ１４０に進み、ステップ１４０では制御手段１２６は記憶手段１２５からステップ１３７もしくはステップ１３９で決定した最終調理電流値および調理量検知手段１２２により検知した調理量とに応じた最適調理シーケンスを選択する。
【００６３】
つぎに、ステップ１４１に進み、制御手段１２６はステップ１３７もしくはステップ１３９で入力した最終調理電流値および調理量検知手段１２２により検知した調理量とに応じた最適調理シーケンスに基づいて、調理加熱手段１２１の使用電流値をステップ１３７もしくはステップ１３９で入力した最終調理電流値に制御して調理物１２０を調理する。調理が完了するとステップ１４２に進み終了する。
【００６４】
以上のように本実施例によれば、使用者を煩わせることなく、自動で炊飯器の使用できる電流値を決定でき、その電流値に応じた最適調理シーケンスで調理できるとともに、コンセントの最大電流値を越えることなく、炊飯器と各機器を使用できるのでブレーカの動作をなくすことができ、また、炊飯器が接続されるコンセントが変更されてもコンセントの電流容量値を変更設定でき、さらに、調理量に応じた調理に最低限必要な電流値を確保して調理できるとともに、炊飯器と同じコンセントに接続された機器の使用電流値を再決定できるので、ブレーカを動作させることなく調理できる。
【００６５】
（実施例６）
図１１に示すように、調理物１５０は、鍋（図示せず）に入れられた米および水等である。調理加熱手段１５１は調理物１５０を調理加熱するもので、調理物１５０を調理加熱するときに使用する電流値を可変できる。調理量検知手段１５２は調理物１５０の量を検知する。ここで、調理量の検知方法は、例えば調理物１５０の重さを直接測定するか、使用者に調理量を入力してもらってもよい。
【００６６】
最大電流設定手段１５３はコンセントで使用できる最大電流値を設定する。電源電流配分手段１５４は最大電流設定手段１５３の信号を入力し、コンセントで使用できる最大電流値からコンセントに接続されている各機器が使用できる電流値を演算して決定した制御電流値を各機器に出力する。記憶手段１５５は調理加熱手段１５１で使用する電流値と調理量に応じた複数の最適炊飯シーケンスと調理量に応じた調理に必要な最低電流値を記憶している。
【００６７】
制御手段１５６は調理加熱手段１５１を制御するもので、記憶手段１５５から調理量検知手段１５２により検知した調理量に応じた調理に必要な最低電流値を入力し、電源電流配分手段１５４から入力した制御電流値と比較して大きい電流値の方を調理加熱手段１５１で使用する最終調理電流値とし、記憶手段１５５からこの最終調理電流値と調理量検知手段１５２により検知した調理量に応じた最適調理シーケンスを入力して調理加熱手段１５１を制御し、また、最終調理電流値が電源電流配分手段１５４により決定した制御電流値より大きい場合は、電源電流配分手段１５４に各機器が使用できる電流値を再度演算させ、大きい電流値分だけ他の機器の制御電流値を小さくして各機器に再出力するように制御するよう構成している。
【００６８】
表示・報知手段１５７は電源電流配分手段１５４にて再演算した結果他の機器を使用できない場合は、これを表示もしくは報知するように制御している。ここで、表示・報知手段１５７は電源電流配分手段１５４の信号を入力して表示および報知をするブロック図になっているが、直接制御手段１５６で制御してもよい。
【００６９】
上記構成において図１２のフローチャートにより動作を説明する。また、各機器にも本発明の実施例と同一の構成要素があるとして説明する。
【００７０】
ステップ１６０でシーケンスがスタートしステップ１６１に進み、ステップ１６１では使用者は炊飯器が接続されるコンセントで使用可能な最大電流値を最大電流設定手段１５３により入力する。つぎに、ステップ１６２に進み、ステップ１６２では電源電流配分手段１５４により、炊飯器および炊飯器と同じコンセントに接続される各機器の制御電流値をその合計値が、ステップ１６１で設定したコンセントの使用可能な最大電流値以下になるように演算して決定し、その制御電流値を炊飯器および各機器の制御手段１５６に出力する。
【００７１】
つぎに、ステップ１６３に進み、ステップ１６３では炊飯器および各機器の制御手段１５６は電源電流配分手段１５４により配分された各々の制御電流値を入力する。つぎに、ステップ１６４に進み、ステップ１６４では制御手段１５６は調理量検知手段１５２が検知した調理量を入力する。つぎに、ステップ１６５に進み、制御手段１５６はステップ１６４で検知した調理量に応じて記憶手段１５５に記憶してある調理に必要な最低必要電流値を決定する。
【００７２】
つぎに、ステップ１６６に進み、制御手段１５６はステップ１６３で入力した制御電流値とステップ１６５で決定した調理量に応じた調理に必要な最低必要電流値とを比較する。制御電流値が最低必要電流値よりも小さいときはステップ１６７に進み、制御手段１５６は最低必要電流値を調理加熱手段１５１で使用する最終調理電流値としステップ１６８に進み、制御手段１５６は電源電流配分手段１５４に各機器が使用できる電流値を再度演算させ、大きい電流値分だけ他の機器の制御電流値を小さくして各機器に再出力する。これにより炊飯器が調理量に応じた最低必要電流値で調理しても、大きくなった電流値分だけ他の機器の使用電流値が小さくなり、コンセントの最大電流値以内に制御できる。
【００７３】
つぎに、ステップ１６８からステップ１６９に進み、ステップ１６９では電源電流配分手段１５４がステップ１６８で再度演算した各機器が使用できる電流値の値により炊飯器以外の各機器が使用可能かを判断する。炊飯器以外の各機器を使用できない場合はステップ１７０に進み、ステップ１７０では他の機器が使用できないことを表示・報知手段１５７により表示および報知する。
【００７４】
つぎに、ステップ１７０からステップ１７２に進む。また、ステップ１６９で炊飯器以外の各機器を使用できる場合はステップ１７２に進む。一方、ステップ１６６で制御電流値が最低必要電流値と同じもしくは大きいときはステップ１７１に進み、ステップ１７１では制御手段１５６は制御電流値を調理加熱手段１５１で使用する最終調理電流値に設定する。ステップ１７１からステップ１７２に進む。
【００７５】
ステップ１７２では制御手段１５６は記憶手段１５５からステップ１６７もしくはステップ１７１で決定した最終調理電流値および調理量検知手段１５２により検知した調理量とに応じた最適調理シーケンスを選択する。つぎに、ステップ１７３に進み、制御手段１５６はステップ１６７もしくはステップ１７１で入力した最終調理電流値および調理量検知手段１５２により検知した調理量とに応じた最適調理シーケンスに基づいて、調理加熱手段１５１の使用電流値をステップ１６７もしくはステップ１７１で入力した最終調理電流値に制御して調理物１５０を調理する。調理が完了するとステップ１７４に進み終了する。
【００７６】
以上のように本実施例によれば、使用者を煩わせることなく、自動で炊飯器の使用できる電流値を決定でき、その電流値に応じた最適調理シーケンスで調理できるとともに、コンセントの最大電流値を越えることなく、炊飯器と各機器を使用できるのでブレーカの動作をなくすことができ、また、炊飯器が接続されるコンセントが変更されてもコンセントの電流容量値を変更設定でき、また、調理量に応じた調理に最低限必要な電流値を確保して調理できるとともに、炊飯器と同じコンセントに接続された機器の使用電流値を再決定できるので、ブレーカを動作させることなく調理でき、さらに、炊飯器と同じコンセントに接続されている各機器が使用できない場合はこれを使用者に認識させることができる。
【００７７】
（実施例７）
図１３に示すように、調理物１８０は、鍋（図示せず）に入れられた米および水等である。調理加熱手段１８１は調理物１８０を調理加熱するもので、調理物１８０を調理加熱するときに使用する電流値を可変できる。調理量検知手段１８２は調理物１８０の量を検知する。ここで、調理量の検知方法は、例えば調理物１５０の重さを直接測定するか、使用者に調理量を入力してもらってもよい。
【００７８】
最大電流設定手段１８３はコンセントで使用できる最大電流値を設定する。電源電流配分手段１８４は最大電流設定手段１８３の信号を入力し、コンセントで使用できる最大電流値からコンセントに接続されている各機器が使用できる電流値を演算して決定した制御電流値を各機器に出力する。記憶手段１８５は調理加熱手段１８１で使用する電流値と調理量に応じた複数の最適炊飯シーケンスと調理量に応じた調理に必要な最低電流値を記憶している。電流変更禁止設定手段１８６は調理加熱手段１８１で使用する電流値の変更を禁止するよう設定できる。
【００７９】
制御手段１８７は調理加熱手段１８１を制御するもので、電流変更禁止設定手段１８４の信号を入力し変更が禁止されている場合は、定格電流値を調理加熱手段１８１で使用する最終調理電流値とし、この定格電流値と調理量検知手段１８２で検知した調理量に応じた最適調理シーケンスにて調理加熱手段１８１を制御して電源電流配分手段１８４に各機器が使用できる電流値を再度演算させ、電流変更を禁止して大きくなった電流値分だけ他の機器の制御電流値を小さくして各機器に再出力するよう制御し、また、電流変更禁止設定手段１８６の信号を入力し変更が禁止されていない場合は、記憶手段１８５から調理量検知手段１８２により検知した調理量に応じた調理に必要な最低電流値を入力し、電源電流配分手段１８４から入力した制御電流値と比較して大きい電流値の方を調理加熱手段１８１で使用する最終調理電流値とし、記憶手段１８５からこの最終調理電流値と調理量検知手段１８２により検知した調理量に応じた最適調理シーケンスを入力して調理加熱手段１８１を制御し、また、最終調理電流値が電源電流配分手段１８４により決定した制御電流値より大きい場合は、電源電流配分手段１８４に各機器が使用できる電流値を再度演算させ、大きい電流値分だけ他の機器の制御電流値を小さくして各機器に再出力するように制御するよう構成している。
【００８０】
表示・報知手段１８８は電源電流配分手段１８４にて再演算した結果他の機器を使用できない場合は、これを表示もしくは報知するように制御している。ここで、表示・報知手段１８８は電源電流配分手段１８４の信号を入力して表示および報知をするブロック図になっているが、直接制御手段１８７で制御してもよい。
【００８１】
上記構成において図１４のフローチャートにより動作を説明する。また、各機器にも本発明の実施例と同一の構成要素があるとして説明する。
【００８２】
ステップ１９０でシーケンスがスタートしステップ１９１に進み、ステップ１９１では使用者は炊飯器が接続されるコンセントで使用可能な最大電流値を最大電流設定手段１８３により入力する。つぎに、ステップ１９２に進み、ステップ１９２では電源電流配分手段１８４により、炊飯器および炊飯器と同じコンセントに接続される各機器の制御電流値をその合計値が、ステップ１９１で設定したコンセントの使用可能な最大電流値以下になるように演算して決定し、その制御電流値を炊飯器および各機器の制御手段１８７に出力する。
【００８３】
つぎに、ステップ１９３に進み、ステップ１９３では炊飯器および各機器の制御手段１８７は電源電流配分手段１８４により配分された各々の制御電流値を入力する。つぎに、ステップ１９４に進み、ステップ１９４では制御手段１８７は調理量検知手段１８２が検知した調理量を入力する。つぎに、ステップ１９５に進み、制御手段１８７は電流変更禁止設定手段１８６により調理加熱手段１８１で使用する電流値の変更が禁止されているかどうかを判定する。電流変更が禁止されている場合はステップ１９６に進む。ここで電流変更が禁止される場合は常にコンセントに他の機器を接続しない場合や、常に最大の調理量を調理する場合で定格電流がどうしても必要な場合である。
【００８４】
ステップ１９６では制御手段１８７は定格電流値を調理加熱手段１８１で使用する最終調理電流値とし、ステップ１９７に進み、制御手段１８７は電源電流配分手段１８４に各機器が使用できる電流値を再度演算させ、定格電流から電流変更が禁止されていない場合に炊飯器に配分される電流値を引いた分だけ他の機器の制御電流値を小さくして各機器に再出力する。これにより、炊飯器が定格電流で調理しても、大きくなった電流値分だけ他の機器の使用電流値が小さくなり、コンセントの最大電流値以内に制御できる。
【００８５】
つぎに、ステップ１９７からステップ１９８に進み、ステップ１９８では電源電流配分手段１８４がステップ１９７で再度演算した各機器が使用できる電流値の値により炊飯器以外の各機器が使用可能かを判断する。炊飯器以外の各機器を使用できない場合はステップ１９９に進み、ステップ１９９では他の機器が使用できないことを表示・報知手段１８８により表示および報知する。つぎに、ステップ１９９からステップ２０７に進む。また、ステップ１９８で炊飯器以外の各機器を使用できる場合はステップ２０７に進む。
【００８６】
一方、ステップ１９５で電流変更が禁止されていない場合はステップ２００に進み、ステップ２００では制御手段１８７はステップ１９４で検知した調理量に応じて記憶手段１８５に記憶してある調理に必要な最低必要電流値を決定する。つぎに、ステップ２０１に進み、制御手段１８７はステップ１９３で入力した制御電流値とステップ２００で決定した調理量に応じた調理に必要な最低必要電流値とを比較する。
【００８７】
制御電流値が最低必要電流値よりも小さいときはステップ２０２に進み、制御手段１８７は最低必要電流値を調理加熱手段１８１で使用する最終調理電流値とし、ステップ２０３に進み、制御手段１８７は電源電流配分手段１８４に各機器が使用できる電流値を再度演算させ、大きい電流値分だけ他の機器の制御電流値を小さくして各機器に再出力する。これにより炊飯器が調理量に応じた最低必要電流値で調理しても、大きくなった電流値分だけ他の機器の使用電流値が小さくなり、コンセントの最大電流値以内に制御できる。
【００８８】
つぎに、ステップ２０３からステップ２０４に進み、ステップ２０４では電源電流配分手段１８４がステップ２０３で再度演算した各機器が使用できる電流値の値により炊飯器以外の各機器が使用可能かを判断する。炊飯器以外の各機器を使用できない場合はステップ２０５に進み、ステップ２０５では他の機器が使用できないことを表示・報知手段１８８により表示および報知する。つぎに、ステップ２０５からステップ２０７に進む。また、ステップ２０４で炊飯器以外の各機器を使用できる場合はステップ２０７に進む。
【００８９】
一方、ステップ２０１で制御電流値が最低必要電流値と同じもしくは大きいときはステップ２０６に進み、ステップ２０６では制御手段１８７は制御電流値を調理加熱手段１８１で使用する最終調理電流値に設定する。ステップ２０６からステップ２０７に進み、ステップ２０７では制御手段１８７は記憶手段１８５からステップ１９６もしくはステップ２０２もしくはステップ２０６で決定した最終調理電流値および調理量検知手段１８２により検知した調理量とに応じた最適調理シーケンスを選択する。
【００９０】
つぎに、ステップ２０８に進み、制御手段１８７はステップ１９６もしくはステップ２０２もしくはステップ２０６で入力した最終調理電流値および調理量検知手段１８２により検知した調理量とに応じた最適調理シーケンスに基づいて、調理加熱手段１８１の使用電流値をステップ１９６もしくはステップ２０２もしくはステップ２０６で入力した最終調理電流値に制御して調理物１８０を調理する。調理が完了するとステップ２０９に進み終了する。
【００９１】
以上のように本実施例によれば、使用者を煩わせることなく、自動で炊飯器の使用できる電流値を決定でき、その電流値に応じた最適調理シーケンスで調理できるとともに、コンセントの最大電流値を越えることなく、炊飯器と各機器を使用できるのでブレーカの動作をなくすことができ、また、炊飯器が接続されるコンセントが変更されてもコンセントの電流容量値を変更設定でき、また調理量に応じた調理に最低限必要な電流値を確保して調理できるとともに、炊飯器と同じコンセントに接続された機器の使用電流値を再決定できるので、ブレーカを動作させることなく調理でき、さらに、炊飯器と同じコンセントに接続されている各機器が使用できない場合はこれを使用者に認識させることができる。
【００９２】
【発明の効果】
以上のように本発明の請求項１に記載の発明によれば、鍋に入れた米および水等の調理物と、前記調理物を調理加熱するときに使用する電流値を可変できる調理加熱手段と、コンセントに接続されている各機器が使用できる電流値を演算して決定した制御電流値を各機器に出力する電源電流配分手段と、複数の調理シーケンスを記憶している記憶手段と、前記調理加熱手段を制御する制御手段とを備え、前記制御手段は、前記電源電流配分手段により決定された制御電流値を入力し、前記記憶手段から制御電流値に応じた最適調理シーケンスを選択し、前記調理加熱手段で使用する電流値を制御電流値に制御するよう構成したから、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができる。
【００９３】
また、請求項２に記載の発明によれば、鍋に入れた米および水等の調理物と、前記調理物を調理加熱するときに使用する電流値を可変できる調理加熱手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、複数の調理シーケンスを記憶している記憶手段と、前記調理加熱手段を制御する制御手段とを備え、前記制御手段は、前記電源電流配分手段により決定された制御電流値を入力し、前記記憶手段から制御電流値に応じた最適調理シーケンスを選択し、前記調理加熱手段で使用する電流値を制御電流値に制御するよう構成したから、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、さらに、炊飯器が接続されるコンセントが変更されても、コンセントの電流容量値を変更設定できるので、変更されたコンセントに対応した制御電流値を決定することができる。
【００９４】
また、請求項３に記載の発明によれば、鍋に入れた米および水等の調理物と、前記調理物を調理加熱するときに使用する電流値を可変できる調理加熱手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値に応じた複数の最適炊飯シーケンスを記憶している記憶手段と、前記調理加熱手段で使用する電流値の変更を禁止するよう設定できる電流変更禁止設定手段と、前記調理加熱手段を制御する制御手段とを備え、前記制御手段は、前記電流変更禁止設定手段の信号を入力し変更が禁止されている場合は定格電流値を前記調理加熱手段で使用する最終調理電流値とし、この定格電流値に応じた最適調理シーケンスにて前記調理加熱手段を制御して前記電源電流配分手段に各機器が使用できる電流値を再度演算させ、電流変更を禁止して大きくなった電流値分だけ他の機器の制御電流値を小さくして各機器に再出力するよう構成したから、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されても、コンセントの電流容量値を変更設定でき、さらに、常にコンセントに他の機器を接続しない場合や、常に最大の調理量を調理する場合は必ず定格電力で調理することができる。
【００９５】
また、請求項４に記載の発明によれば、鍋に入れた米および水等の調理物と、前記調理物を調理加熱するときに使用する電流値を可変できる調理加熱手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値に応じた複数の最適炊飯シーケンスを記憶している記憶手段と、前記調理加熱手段で使用する電流値の変更を禁止するよう設定できる電流変更禁止設定手段と、表示動作もしくは報知動作する表示・報知手段と、前記調理加熱手段を制御する制御手段とを備え、前記制御手段は、前記電流変更禁止設定手段の信号を入力し変更が禁止されている場合は定格電流値を前記調理加熱手段で使用する最終調理電流値とし、この定格電流値に応じた最適調理シーケンスにて前記調理加熱手段を制御して前記電源電流配分手段に各機器が使用できる電流値を再度演算させ電流変更を禁止して大きくなった電流値分だけ他の機器の制御電流値を小さくして各機器に再出力するように制御し、前記電源電流配分手段にて再演算した結果他の機器を使用できない記場合は、前記表示・報知手段によりこれを表示もしくは報知するよう構成したから、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されてもコンセントの電流容量値を変更設定でき、また、常にコンセントに他の機器を接続しない場合や、常に最大の調理量を調理する場合は必ず定格電力で調理でき、さらに、炊飯器と同じコンセントに接続されている各機器が使用できない場合は、これを使用者に認識させることができる。
【００９６】
また、請求項５に記載の発明によれば、鍋に入れた米および水等の調理物と、前記調理物を調理加熱するときに使用する電流値を可変できる調理加熱手段と、前記調理物の量を検知する調理量検知手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値と調理量に応じた複数の最適炊飯シーケンスと調理量に応じた調理に必要な最低電流値を記憶している記憶手段と、前記調理加熱手段を制御する制御手段とを備え、前記制御手段は、前記記憶手段から前記調理量検知手段により検知した調理量に応じた調理に必要な最低電流値を入力し、前記電源電流配分手段から入力した制御電流値と比較して大きい電流値の方を前記調理加熱手段で使用する最終調理電流値とし、前記記憶手段からこの最終調理電流値と前記調理量検知手段により検知した調理量に応じた最適調理シーケンスを入力して前記調理加熱手段を制御し、また最終調理電流値が前記電源電流配分手段により決定した制御電流値より大きい場合は前記電源電流配分手段に各機器が使用できる電流値を再度演算させ大きい電流値分だけ他の機器の制御電流値を小さくして各機器に再出力するように制御するよう構成したから、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されてもコンセントの電流容量値を変更設定でき、さらに、調理量に応じた調理に最低限必要な電流値を確保して調理できるとともに、炊飯器と同じコンセントに接続された機器の使用電流値を再決定できるので、ブレーカを動作させることなく調理することができる。
【００９７】
また、請求項６に記載の発明によれば、鍋に入れた米および水等の調理物と、前記調理物を調理加熱するときに使用する電流値を可変できる調理加熱手段と、前記調理物の量を検知する調理量検知手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値と調理量に応じた複数の最適炊飯シーケンスと調理量に応じた調理に必要な最低電流値を記憶している記憶手段と、表示動作もしくは報知動作する表示・報知手段と、前記調理加熱手段を制御する制御手段とを備え、前記制御手段は、前記記憶手段から前記調理量検知手段により検知した調理量に応じた調理に必要な最低電流値を入力し、前記電源電流配分手段から入力した制御電流値と比較して大きい電流値の方を前記調理加熱手段で使用する最終調理電流値とし、前記記憶手段からこの最終調理電流値と前記調理量検知手段により検知した調理量に応じた最適調理シーケンスを入力して前記調理加熱手段を制御し、また最終調理電流値が前記電源電流配分手段により決定した制御電流値より大きい場合は前記電源電流配分手段に各機器が使用できる電流値を再度演算させ大きい電流値分だけ他の機器の制御電流値を小さくして各機器に再出力するように制御し、前記電源電流配分手段にて再演算した結果他の機器を使用できない場合は、前記表示・報知手段によりこれを表示もしくは報知するよう構成したから、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されてもコンセントの電流容量値を変更設定でき、また、調理量に応じた調理に最低限必要な電流値を確保して調理できるとともに、炊飯器と同じコンセントに接続された機器の使用電流値を再決定できるので、ブレーカを動作させることなく調理でき、さらに、炊飯器と同じコンセントに接続されている各機器が使用できない場合は、これを使用者に認識させることができる。
【００９８】
また、請求項７に記載の発明によれば、鍋に入れた米および水等の調理物と、前記調理物を調理加熱するときに使用する電流値を可変できる調理加熱手段と、前記調理物の量を検知する調理量検知手段と、コンセントで使用できる最大電流値を設定する最大電流設定手段と、前記最大電流設定手段の信号を入力しコンセントで使用できる最大電流値からコンセントに接続されている各機器が使用できる電流値を演算して決定した制御電流値を各機器に出力する電源電流配分手段と、前記調理加熱手段で使用する電流値と調理量に応じた複数の最適炊飯シーケンスと調理量に応じた調理に必要な最低電流値を記憶している記憶手段と、前記調理加熱手段で使用する電流値の変更を禁止するよう設定できる電流変更禁止設定手段と、表示動作もしくは報知動作する表示・報知手段と、前記調理加熱手段を制御する制御手段とを備え、前記制御手段は、前記電流変更禁止設定手段の信号を入力し変更が禁止されている場合は定格電流値を前記調理加熱手段で使用する最終調理電流値とし、この定格電流値に応じた最適調理シーケンスにて前記調理加熱手段を制御して前記電源電流配分手段に各機器が使用できる電流値を再度演算させ電流変更を禁止して大きくなった電流値分だけ他の機器の制御電流値を小さくして各機器に再出力するよう制御し、また前記電流変更禁止設定手段の信号を入力し変更が禁止されていない場合は、前記記憶手段から前記調理量検知手段により検知した調理量に応じた調理に必要な最低電流値を入力し前記電源電流配分手段から入力した制御電流値と比較して大きい電流値の方を前記調理加熱手段で使用する最終調理電流値とし前記記憶手段からこの最終調理電流値と前記調理量検知手段により検知した調理量に応じた最適調理シーケンスを入力して前記調理加熱手段を制御し、また最終調理電流値が前記電源電流配分手段により決定した制御電流値より大きい場合は前記電源電流配分手段に各機器が使用できる電流値を再度演算させ大きい電流値分だけ他の機器の制御電流値を小さくして各機器に再出力するように制御し、前記電源電流配分手段にて再演算した結果他の機器を使用できない場合は、前記表示・報知手段によりこれを表示もしくは報知するよう構成したから、使用者を煩わせることなく、自動で炊飯器の使用できる電流値を決定でき、その電流値に応じた最適調理シーケンスで調理できるとともに、コンセントの最大電流値を越えることなく炊飯器と各機器を使用できるので、ブレーカの動作をなくすことができ、また、炊飯器が接続されるコンセントが変更されてもコンセントの電流容量値を変更設定でき、また、常にコンセントに他の機器を接続しない場合や、常に最大の調理量を調理する場合は必ず定格電力で調理でき、また、調理量に応じた調理に最低限必要な電流値を確保して調理できるとともに、炊飯器と同じコンセントに接続された機器の使用電流値を再決定できるので、ブレーカを動作させることなく調理でき、さらに、炊飯器と同じコンセントに接続されている各機器が使用できない場合はこれを使用者に認識させることができる。
【図面の簡単な説明】
【図１】本発明の第１の実施例の炊飯器のブロック図
【図２】同炊飯器の動作を示すフローチャート
【図３】本発明の第２の実施例の炊飯器のブロック図
【図４】同炊飯器の動作を示すフローチャート
【図５】本発明の第３の実施例の炊飯器のブロック図
【図６】同炊飯器の動作を示すフローチャート
【図７】本発明の第４の実施例の炊飯器のブロック図
【図８】同炊飯器の動作を示すフローチャート
【図９】本発明の第５の実施例の炊飯器のブロック図
【図１０】同炊飯器の動作を示すフローチャート
【図１１】本発明の第６の実施例の炊飯器のブロック図
【図１２】同炊飯器の動作を示すフローチャート
【図１３】本発明の第７の実施例の炊飯器のブロック図
【図１４】同炊飯器の動作を示すフローチャート
【図１５】従来の炊飯器のブロック図
【図１６】同炊飯器の動作を示すフローチャート
【符号の説明】
２０　調理物
２１　調理加熱手段
２２　電源電流配分手段
２３　記憶手段
２４　制御手段
【図１】
2004008297.tif 000003
【図２】
2004008297.tif 000004
【図３】
2004008297.tif 000005
【図４】
2004008297.tif 000006
【図５】
2004008297.tif 000007
【図６】
2004008297.tif 000008
【図７】
2004008297.tif 000009
【図８】
2004008297.tif 000010
【図９】
2004008297.tif 000011
【図１０】
2004008297.tif 000012
【図１１】
2004008297.tif 000013
【図１２】
2004008297.tif 000014
【図１３】
2004008297.tif 000015
【図１４】
2004008297.tif 000016
【図１５】
2004008297.tif 000017
【図１６】
2004008297.tif 000018